(57)【要約】【課題】  筬の左右方向の中央部の撓みを抑制でき、それにより、アーチ量を適切に保つことができるグランドピアノの支持装置を提供する。【解決手段】水平な棚板２と、鍵盤４を載置するとともに、棚板２上に、中間部において棚板２との間に間隔を隔てた状態でスライド自在に設けられた筬３と、筬３の上面の左右の端部にそれぞれ取り付けられた左右の端ブラケット２１と、筬３の上面の左右の端ブラケット２１の間に取り付けられた中間ブラケット２２と、左右方向に水平に延びるとともに、左右の端ブラケット２１および中間ブラケット２２に載置された状態で連結されたハンマーシャンクレール２３と、を備え、中間ブラケット２２は、その上端と中間ブラケット２２を取り付けた部分の筬３の上面との間の距離が、左右の端ブラケット２１の上端と左右の端ブラケット２１を取り付けた部分の筬３の上面との間の距離よりも短くなるように設けられている。【選択図】  図５
2007187979.tif 000002
【特許請求の範囲】
【請求項１】
弦を打弦するハンマーおよび押鍵時に当該ハンマーを作動させるアクションを支持するグランドピアノの支持装置であって、
水平な棚板と、
鍵盤を載置するとともに、前記棚板上に、中間部において当該棚板との間に間隔を隔てた状態でスライド自在に設けられた筬と、
この筬の上面の左右の端部にそれぞれ取り付けられた左右の端ブラケットと、
前記筬の上面の前記左右の端ブラケットの間に取り付けられた中間ブラケットと、
剛性を有する材料から成り、左右方向に水平に延びるとともに、前記左右の端ブラケットおよび前記中間ブラケットに載置された状態で連結されたハンマーシャンクレールと、を備え、
前記中間ブラケットは、その上端と当該中間ブラケットを取り付けた部分の前記筬の上面との間の距離が、前記左右の端ブラケットの上端と当該左右の端ブラケットを取り付けた部分の前記筬の上面との間の距離よりも短くなるように設けられていることを特徴とするグランドピアノの支持装置。
【請求項２】
前記中間ブラケットの高さは、前記左右の端ブラケットの高さよりも低いことを特徴とする請求項１に記載のグランドピアノの支持装置。
【発明の詳細な説明】
【技術分野】
【０００１】
本発明は、弦を打弦するハンマーおよび押鍵時にハンマーを作動させるアクションを支持するグランドピアノの支持装置に関する。
【背景技術】
【０００２】
従来のこの種のグランドピアノの支持装置として、例えば特許文献１に開示されたものが知られている。このグランドピアノでは、鍵盤、アクションおよびハンマーを載置した筬が、棚板上に左右方向にスライド自在に設けられている。筬は、木材を井桁状に組み立てたものであり、左右方向に延びる筬前、筬中および筬後や、これらを連結する前後方向に延びる複数の筬妻および筬中束などで構成されている。この筬は、筬前および筬後が棚板に載置されるとともに、筬中が棚板との間に所定の間隔（以下、本明細書において「アーチ量」という）を隔てた状態で、棚板上にセットされる。筬中の下面には、丸ボルトなどからなる複数の筬すべり金具が取り付けられている。筬は、筬前および筬後に加えて、これらの筬すべり金具が棚板に接した状態で、棚板に載置されていることによって、棚板に対して左右方向にスライド自在になっている。これにより、筬は、ソフトペダルを操作したときに右方へ所定距離、シフトし、それにより、押鍵時に、ハンマーが上方の弦を打弦する位置が若干ずれることによって、ソフトペダル効果が得られるようになっている。
【０００３】
鍵盤は、左右方向に並んだ多数の鍵（８８鍵）を有しており、各鍵は直接、筬に支持されている。具体的には、各鍵に対応するバランスピンが筬中に立設されており、各鍵がバランスピンを中心として揺動自在に支持されている。また、アクションおよびハンマーは、鍵に対応する多数のアクションおよびハンマーから成り、アクション・ハンマー支持具に回動自在に支持されるとともに、鍵に順次、載置されている。
【０００４】
上記のアクション・ハンマー支持具は、筬の上面の左右の端部に取り付けられた左右のブラケットと、左右方向に延び、両ブラケットに載置され、両者間に渡された状態で、それらに取り付けられたハンマーシャンクレールおよびウィッペンレールとを備えている。左右のブラケットは、側面形状がほぼ逆Ｔ字状で、互いに同じ形状およびサイズに形成されている。一方、ハンマーシャンクレールおよびウィッペンレールにはそれぞれ、多数のハンマーおよびアクションが回動自在に取り付けられている。また、アクション・ハンマー支持具には、ピアノの機種などに応じ、左右のブラケットに加えて、それらと同じ形状およびサイズの複数（例えば２〜４つ）の中間ブラケットを有するものがある。これらの中間ブラケットは、左右のブラケット間に、適宜、間隔を隔てて配置され、左右のブラケットと同様、筬の上面に取り付けられており、これらの中間および左右のブラケットにハンマーシャンクレールおよびウィッペンレールが載置され、それらに取り付けられている。
【０００５】
前述したように、筬には、左右方向に並んだ多数の鍵が載置されるとともに、各鍵にアクションやハンマーが順次、載置されるので、それらの重さが、左右方向にわたる等分布荷重として、筬に作用する。このため、筬の左右方向の中央部において特に、筬が下側に撓みやすく、それにより、アーチ量が小さくなる傾向がある。この場合、筬によって、その下面の筬すべり金具が棚板に強く押し付けられた状態となり、その結果、ソフトペダルの操作時に、筬を右方へ円滑にシフトさせることができず、ソフトペダル効果を良好に得られないおそれがある。
【０００６】
本発明は、以上のような課題を解決するためになされたものであり、筬の左右方向の中央部の撓みを抑制でき、それにより、アーチ量を適切に保つことができるグランドピアノの支持装置を提供することを目的とする。
【０００７】
【特許文献１】特開２００１−８３９６１号公報
【発明の開示】
【課題を解決するための手段】
【０００８】
上記の目的を達成するために、請求項１に係る発明は、弦を打弦するハンマーおよび押鍵時にハンマーを作動させるアクションを支持するグランドピアノの支持装置であって、水平な棚板と、鍵盤を載置するとともに、棚板上に、中間部において棚板との間に間隔を隔てた状態でスライド自在に設けられた筬と、この筬の上面の左右の端部にそれぞれ取り付けられた左右の端ブラケットと、筬の上面の左右の端ブラケットの間に取り付けられた中間ブラケットと、剛性を有する材料から成り、左右方向に水平に延びるとともに、左右の端ブラケットおよび中間ブラケットに載置された状態で連結されたハンマーシャンクレールと、を備え、中間ブラケットは、その上端と中間ブラケットを取り付けた部分の筬の上面との間の距離が、左右の端ブラケットの上端と左右の端ブラケットを取り付けた部分の筬の上面との間の距離よりも短くなるように設けられていることを特徴とする。
【０００９】
この構成によれば、筬の上面には、その左右の端部に左右の端ブラケットが取り付けられるとともに、これら左右の端ブラケットの間に中間ブラケットが取り付けられている。また、剛性を有する材料から成り、左右方向に水平に延びるハンマーシャンクレールが、左右の端ブラケットおよび中間ブラケットに載置され、これらに連結されている。さらに、中間ブラケットは、その上端と中間ブラケットを取り付けた部分の筬の上面との間の距離が、左右の端ブラケットの上端とそれらの端ブラケットを取り付けた部分の筬の上面との距離（以下、中間ブラケットの場合の前記距離も含めて、本明細書において「レール−筬間距離」という）よりも短くなるように設けられている。以上のように、中間ブラケットのレール−筬間距離が、左右の端ブラケットのそれよりも短いとともに、それらのブラケットに載置され、連結されたハンマーシャンクレールが剛性を有するので、筬の左右方向の中間部は、ほぼ水平に保たれたハンマーシャンクレールによって、中間ブラケットを介して持ち上げられた状態となる。その結果、多数の鍵、アクションおよびハンマーの重さが、左右方向にわたる等分布荷重として筬に作用しても、筬の左右方向の中央部の撓みを抑制でき、それにより、アーチ量を適切に保つことができる。これにより、例えば、筬の下面に筬すべり金具が設けられている場合には、その筬すべり金具が棚板に強く押し付けられるのを防止でき、ソフトペダル効果を良好に得ることができる。
【００１０】
請求項２に係る発明は、請求項１に記載のグランドピアノの支持装置において、中間ブラケットの高さは、左右の端ブラケットの高さよりも低いことを特徴とする。
【００１１】
この構成によれば、中間ブラケットの高さを、左右の端ブラケットのそれよりも低くするだけで、上述した請求項１の作用、効果を容易に得ることができる。
【発明を実施するための最良の形態】
【００１２】
以下、図面を参照しながら、本発明の好ましい実施形態を詳細に説明する。図１〜４は、本発明の一実施形態による支持装置を適用したグランドピアノの鍵盤装置を示している。この鍵盤装置１は、水平な棚板２と、この棚板２上に設けられた筬３と、筬３上に載置され、左右方向に並んだ多数の鍵４ａ（図１では白鍵および黒鍵を１つずつ図示）から成る鍵盤４と、筬３上にアクション・ハンマー支持具５を介して設けられ、鍵４ａに対応する多数のアクション６およびハンマー７（図３ではいずれも１つのみ図示）などで構成されている。
【００１３】
図１に示すように、筬３は、スプルスなどの木材を井桁状に組み立てたものであり、左右方向に延びる筬前１１、筬中１２および筬後１３や、これらを連結する前後方向に延びる複数の筬妻１４および筬中束１９などで構成されている。図２に示すように、筬３は、筬前１１の底面の前端部、および筬後１３の底面の後端部が棚板２上に接するとともに、筬中１２が棚板２との間に所定のアーチ量Ａを隔てた状態で、棚板２に載置されている。また、筬中１２の下面には、丸形の頭部を有する丸ボルトから成る複数の筬すべり金具１７（図１、２では１つのみ図示）が、筬中１２の長さ方向に間隔を隔てて取り付けられている。筬３は、筬前１１および筬後１３に加えて、これらの筬すべり金具１７の頭部が棚板２上に接し、棚板２に載置された状態で、これにセットされている。この構成により、筬３は、棚板２に対して前後方向および左右方向にスライド自在である。
【００１４】
また、筬前１１および筬中１２には、鍵４ａに対応する多数のフロントピン１５およびバランスピン１６がそれぞれ立設されており、各鍵４ａは、バランスピン１６を中心として揺動自在に支持されるとともに、フロントピン１５により横振れが防止される。
【００１５】
また、筬３の上面には、その左右端部に前後方向に延びる左右のブラケット台１８、１８が取り付けられ、これら左右のブラケット台１８、１８の間に３つの中間ブラケット台（図示せず）が取り付けられている。中間ブラケット台は、左右のブラケット台１８、１８とほぼ同様に構成され、左右方向に適宜、間隔を隔てて配置されている。そして、これら左右のブラケット台１８、１８および３つの中間ブラケット台に、多数のアクション６およびハンマー７を回動自在に支持するアクション・ハンマー支持具５が、載置された状態で取り付けられている。
【００１６】
図４に示すように、アクション・ハンマー支持具５は、上記左右のブラケット台１８、１８上にねじ止めされた左右の端ブラケット２１、２１（同図では左側の端ブラケット２１のみ図示）と、上記３つの中間ブラケット台上にねじ止めされた３つの中間ブラケット２２（同図では１つのみ図示）と、左右方向に延び、これら５つのブラケット２１、２１、２２、２２、２２に載置された状態で連結されたハンマーシャンクレール２３およびウィッペンレール２４とを備えている。
【００１７】
左右の端ブラケット２１、２１は、アルミニウムなどから成る金属製の成形品で構成され、互いに同じ形状およびサイズで、側面形状がほぼ逆Ｔ字状に形成されている。一方、３つの中間ブラケット２２、２２、２２は、互いに同じ形状およびサイズに形成され、端ブラケット２１に対し、所定高さＨ分、低く形成されており、それ以外は、端ブラケット２１と同様に構成されている。より具体的には、中間ブラケット２２は、端ブラケット２１と同一のブラケットの底部が所定高さＨ分、切削されることによって形成される。したがって、中間ブラケット２２の作製時には、端ブラケット２１用の金型を利用して、端ブラケット２１と同一のブラケットを作製した後、そのブラケットの底部を切削することによって、中間ブラケット２２を容易に作製することができる。
【００１８】
ハンマーシャンクレール２３は、アルミニウムなどから成る金属製の押出成形品で構成され、高い剛性を有している。このハンマーシャンクレール２３は、左右の端ブラケット２１、２１および３つの中間ブラケット２２、２２、２２の上端部に載置され、それらの間に渡された状態で、上方からねじ止めされている。また、ウィッペンレール２４は、ハンマーシャンクレール２３と同様に、金属製の押出成形品で構成され、左右の端ブラケット２１、２１および３つの中間ブラケット２２、２２、２２の後端部に載置され、それらの間に渡された状態で、上方からねじ止めされている。図３に示すように、これらのハンマーシャンクレール２３およびウィッペンレール２４にはそれぞれ、多数のハンマー７、および多数のアクション６のウィッペン２５が回動自在に取り付けられている。また、各ウィッペン２５は、鍵４ａの上面のバランスピン１６よりも後方の位置に設けられたキャプスタンスクリュー２６に載っている。さらに、各ハンマー７は、ハンマーシャンクレール２３寄りの回動支点の付近に設けられたシャンクローラ２７を介して、アクション６に載っている。
【００１９】
以上の構成により、鍵４ａが押鍵されると、キャプスタンスクリュー２６がウィッペン２５を突き上げることにより、ハンマー７が上方に回動し、上方に前後方向に張られた弦（図示せず）を打弦することによって、発音がなされる。また、ソフトペダル（図示せず）が操作されると、筬３が右方へ所定距離、シフトすることにより、ハンマー７の打弦位置が若干ずれることによって、音量を小さくしたり、音色を変化させたりするなどのソフトペダル効果が得られる。
【００２０】
図５（ａ）は、鍵盤装置１を正面から見たときの状態を模式的に示しており、筬３については、筬中１２のみを示している。一方、同図（ｂ）は、中間ブラケットとして、端ブラケット２１と同じものを採用したときの鍵盤装置を、同図（ａ）に対応して示している。なお、両図では、便宜上、鍵盤４、アクション６およびハンマー７を省略するとともに、アクション・ハンマー支持具５を載置するブラケット台１８および中間ブラケット台も省略するものとする。
【００２１】
上述したように、図５（ｂ）に示す鍵盤装置では、アクション・ハンマー支持具５の中間ブラケット２２’が、端ブラケット２１と同じものであるので、中間ブラケット２２’のレール−筬間距離が、端ブラケット２１のそれと同じである。このため、多数の鍵４ａ、アクション６およびハンマー７の重さが、左右方向にわたる等分布荷重として筬３に作用すると、同図（ｂ）の一点鎖線で示すように、筬中１２の中央部が下側に撓み、それにより、棚板２と筬中１２の間のアーチ量Ａが小さくなる。
【００２２】
これに対し、図５（ａ）に示す鍵盤装置１では、前述したように、アクション・ハンマー支持具５の中間ブラケット２２、２２、２２が、左右の端ブラケット２１、２１よりも、所定高さＨ分、低く形成されている。また、アクション・ハンマー支持具５のハンマーシャンクレール２３が剛性を有するので、同図（ａ）に示すように、筬中１２の長さ方向（左右方向）の中間部は、ほぼ水平に保たれたハンマーシャンクレール２３により、中間ブラケット２２、２２、２２を介して、持ち上げられた状態となる。その結果、中間ブラケット２２のレール−筬間距離が、端ブラケット２１のそれよりも短くなる。これにより、多数の鍵４ａ、アクション６およびハンマー７の重さが、左右方向にわたる等分布荷重として筬３に作用しても、筬中１２の中央部の撓みを抑制することができる。加えて、筬中１２が、同図（ａ）の一点鎖線で示すように下側に撓んでも、同図（ｂ）の場合と異なり、アーチ量Ａを適切に保つことができる。これにより、筬中１２の下面の筬すべり金具１７が、棚板２に強く押し付けられるのを防止でき、ソフトペダル効果を良好に得ることができる。
【００２３】
なお、本発明は、説明した上記実施形態に限定されることなく、種々の態様で実施することができる。例えば、実施形態では、中間ブラケットのレール−筬間距離を短くするために、中間ブラケットの作製を、端ブラケットと同一のブラケットの底部を切削することによって行っているが、これに代えて、上端部を切削してもよい。もちろん、中間ブラケットを専用の金型を用いて作製してもよい。
【００２４】
また、中間ブラケットのレール−筬間距離を短くするために、中間ブラケット自体の高さを低くするのに代えて、ブラケットの高さは同じで、中間ブラケットを載置するブラケット台の高さを、左右の端ブラケットを載置するブラケット台よりも低くしてもよい。この場合には、中間ブラケットとして、左右の端ブラケットと同じものを用いることができ、それにより、中間ブラケットを作製するための切削工程などが不要となるため、アクションブラケットの製造コストを低減することができる。
【００２５】
さらに、実施形態は、中間ブラケットの数が３つの例であるが、ピアノの機種などに応じて、１つあるいは４つ以上としてもよいことはもちろんである。また、実施形態で示した筬３やアクション・ハンマー支持具５の細部の構成などは、あくまで例示であり、本発明の趣旨の範囲内で適宜、変更することができる。
【図面の簡単な説明】
【００２６】
【図１】本発明の一実施形態によるグランドピアノの支持装置を適用した鍵盤装置を、筬および棚板を上下に離した状態で示す斜視図である。
【図２】図１の筬を棚板に載置したときの、II−II線で切断した状態を示す図である。
【図３】アクションおよびハンマーを示す側面図である。
【図４】アクション・ハンマー支持具を部分的に示す斜視図である。
【図５】鍵盤装置を正面から見たときの状態を模式的に示す図であり、（ａ）中間ブラケットの高さが端ブラケットの高さよりも低い状態、（ｂ）中間ブラケットの高さが端ブラケットの高さと同じ状態を示す。
【符号の説明】
【００２７】
１    鍵盤装置
２    棚板
３    筬
４    鍵盤
４ａ  鍵
５    アクション・ハンマー支持具
６    アクション
７    ハンマー
２１    端ブラケット
２２    中間ブラケット
２３    ハンマーシャンクレール
【図１】
2007187979.tif 000003
【図２】
2007187979.tif 000004
【図３】
2007187979.tif 000005
【図４】
2007187979.tif 000006
【図５】
2007187979.tif 000007